(57)【要約】【課題】サービスプラグのような既製品を用いずに簡易な構成で実現できるバッテリパックのインターロック構造を提供する。【解決手段】バッテリパック１のインターロック構造は、複数のバッテリモジュール２０のうち２つのバッテリモジュール２１、２２を電気的に導通させるバスバーユニット４０を備える。バッテリパック１のケースカバー１２は、ケース１０に収容されたバッテリモジュール２１、２２と連結するカバー連結部１２ｄを有する。バスバーユニット４０は、カバー連結部１２ｄがバッテリモジュール２１、２２から取り外されるのを遮る遮蔽部４２ａを有する。【選択図】図３
2020098697.tif 000002
【特許請求の範囲】
【請求項１】
バッテリパックのインターロック構造であって、
前記バッテリパックは、
複数のバッテリモジュールと、
該複数のバッテリモジュールを収容するケース本体、及び該ケース本体を覆うケースカバーと、を有するケースと、
前記複数のバッテリモジュールのうち２つのバッテリモジュールを電気的に導通させるバスバーユニットと、を備え、
前記ケースカバーは、前記ケースに収容された収容物又は前記ケース本体と連結するカバー連結部を有し、
前記バスバーユニットは、前記カバー連結部が前記収容物又は前記ケース本体から取り外されるのを遮る遮蔽部を有する、バッテリパックのインターロック構造。
【請求項２】
請求項１に記載のバッテリパックのインターロック構造であって、
前記ケースカバーは、開口部を有し、
前記バッテリモジュールと前記バスバーユニットとの電気接続部は、前記開口部からアクセス可能に構成されている、バッテリパックのインターロック構造。
【請求項３】
請求項２に記載のバッテリパックのインターロック構造であって、
前記カバー連結部は、前記開口部の開口領域に向かって延出するように形成され、
前記カバー連結部と前記収容物又は前記ケース本体とを直接的又は間接的に固定する固定部が、前記開口部からアクセス可能に構成されている、バッテリパックのインターロック構造。
【請求項４】
請求項２又は３に記載のバッテリパックのインターロック構造であって、
前記バッテリモジュールは、
複数のセルを積層して構成されるセル積層体と、
積層方向において前記セル積層体の両側に配置される一対のエンドプレートと、を備え、
前記バスバーユニットは、前記２つのバッテリモジュールの対向する前記エンドプレートにそれぞれ配置された端子部に締結されている、バッテリパックのインターロック構造。
【請求項５】
請求項４に記載のバッテリパックのインターロック構造であって、
前記カバー連結部は、前記２つのバッテリモジュールの対向する前記エンドプレートに直接的又は間接的に固定されている、バッテリパックのインターロック構造。
【請求項６】
請求項２〜５のいずれか１項に記載のバッテリパックのインターロック構造であって、
前記バスバーユニットは、
前記２つのバッテリモジュールを電気的に接続するバスバーと、
前記バスバーと取外し不能に設けられた絶縁性のバスバーカバーと、
前記バスバーの上部に配置される板材と、
前記電気接続部にて前記バスバー及び前記板材を前記バッテリモジュールに固定するボルトと、を備え、
前記板材の上面及び前記ボルトのヘッドは、絶縁性を有し、
前記開口部から順に、前記ボルトのヘッド、前記板材、前記バスバー、及び前記バッテリモジュールの順に配置されている、バッテリパックのインターロック構造。
【請求項７】
請求項６に記載のバッテリパックのインターロック構造であって、
前記ボルト及び前記板材は連結されており、
前記バスバーカバーは、前記ボルトを緩めた状態において前記板材の移動を規制する移動規制部を有し、
前記ボルトの軸部の長さは、前記ボルトを緩めた状態における前記板材と前記移動規制部との最大距離よりも長い、バッテリパックのインターロック構造。
【請求項８】
請求項６又は７に記載のバッテリパックのインターロック構造であって、
前記遮蔽部は、前記バスバーカバーに設けられている、バッテリパックのインターロック構造。
【請求項９】
請求項６〜８のいずれか１項に記載のバッテリパックのインターロック構造であって、
前記バスバーカバーには、前記開口部から把持可能な把持部が設けられている、バッテリパックのインターロック構造。
【請求項１０】
請求項２〜８のいずれか１項に記載のバッテリパックのインターロック構造であって、
前記カバー連結部は、前記収容物に固定されたブラケット又は端子台に固定されている、バッテリパックのインターロック構造。
【発明の詳細な説明】
【技術分野】
【０００１】
本発明は、電動車両などに搭載されるバッテリパックのインターロック構造に関する。
【背景技術】
【０００２】
従来より電動車両などには、大容量のバッテリパックが搭載される。バッテリパックは、複数のバッテリモジュール及び高圧回路をケースに収納している。ケースは、ケース本体とカバーとで構成されており、所定の手順を経なければカバーを取り外してケース内部の高圧回路にアクセスできないよう安全対策が施されている。例えば、特許文献１には、挿抜により高圧回路のオン／オフを切り替え可能なサービスプラグを備え、サービスプラグが挿入されている状態ではカバーとケース本体との嵌合を解除不能とし、サービスプラグを抜くとカバーとケース本体の嵌合が解除される構造が開示されている。
【０００３】
特許文献１によれば、サービスプラグを取り外して高圧回路をオフにしなければ、カバーを開けることができないため、電気的に導通している高圧回路への不用意なアクセスを防止できる。
【先行技術文献】
【特許文献】
【０００４】
【特許文献１】特開２０１４−１５７７４１号公報
【発明の概要】
【発明が解決しようとする課題】
【０００５】
しかしながら、特許文献１のインターロック構造は、既製品のサービスプラグを用いているため、バッテリパックの内部をサービスプラグの形状・寸法に合わせて設計する必要があり、バッテリパックの構成が複雑化するという問題があった。
【０００６】
本発明は、サービスプラグのような既製品を用いずに簡易な構成で実現できるバッテリパックのインターロック構造を提供する。
【課題を解決するための手段】
【０００７】
本発明は、
バッテリパックのインターロック構造であって、
前記バッテリパックは、
複数のバッテリモジュールと、
該複数のバッテリモジュールを収容するケース本体、及び該ケース本体を覆うケースカバーと、を有するケースと、
前記複数のバッテリモジュールのうち２つのバッテリモジュールを電気的に導通させるバスバーユニットと、を備え、
前記ケースカバーは、前記ケースに収容された収容物又は前記ケース本体と連結するカバー連結部を有し、
前記バスバーユニットは、前記カバー連結部が前記収容物又は前記ケース本体から取り外されるのを遮る遮蔽部を有する。
【発明の効果】
【０００８】
本発明によれば、バスバーユニットは、カバー連結部が収容物又はケース本体から取り外されることを遮る遮蔽部を有するので、バスバーユニットが取り外されない状態、即ち、バッテリモジュールが電気的に導通した状態で、ケースカバーが取り外される危険性がない。したがって、サービスプラグのような既製品を用いずに簡易な構成でバッテリパックのインターロック構造を実現できる。
【図面の簡単な説明】
【０００９】
【図１】本発明の第１実施形態のインターロック構造を備えるバッテリパックの平面図である。
【図２】図１のバッテリパックのメンテナンスリッドを取り外した状態の要部平面図である。
【図３】図２のＡ−Ａ断面図である。
【図４】本発明の第１実施形態のインターロック構造を構成するバスバーユニット及びカバー連結部が固定されるブラケットの斜視図である。
【図５】インターロック構造の解除手順を説明するバッテリパックの要部断面図であり、（Ａ）はメンテナンスリッドを取り外した状態、（Ｂ）はバスバーユニットを取り外した状態、（Ｃ）はナットを取り外した状態、（Ｄ）はケースカバーを取り外した状態である。
【図６】インターロック構造の解除手順を説明するバッテリパックの要部平面図であり、（Ａ）メンテナンスリッドが取り付けられている状態、（Ｂ）はメンテナンスリッドを取り外した状態、（Ｃ）は電気接続部にアクセス可能な状態、（Ｄ）はバスバーユニットを取り外した状態、（Ｅ）はナットを取り外した状態である。
【図７】バスバーユニットの取り外し作業を説明するバスバーユニットの要部断面図であり、（Ａ）はバスバーユニットを取り外す前の状態、（Ｂ）はバスバー固定ボルトを緩めている状態、（Ｃ）は板材が移動規制部に干渉した時の状態である。
【図８】本発明の第２実施形態のインターロック構造を構成するバスバーユニット及びカバー連結部が固定されるブラケットの斜視図である。
【図９】本発明の第３実施形態のインターロック構造を構成するバスバーユニット及びカバー連結部が固定される端子台の斜視図である。
【図１０】図９のバスバーユニット斜視図である。
【発明を実施するための形態】
【００１０】
以下、本発明のバッテリパックのインターロック構造の各実施形態を、添付図面に基づいて説明する。
【００１１】
［第１実施形態］
（バッテリパック）
図１及び図２に示すように、第１実施形態のバッテリパック１は、平面視略矩形状のケース１０を有し、ケース１０内に、平面視略長方形の複数（この例では８つ）のバッテリモジュール２０が収容されている。これら複数のバッテリモジュール２０は、互いに隣接するバッテリモジュール２０間をバスバー３０を介して電気的に導通させることにより電気的に直列に接続されている。複数のバッテリモジュール２０のうちの２つのバッテリモジュール２０（以下、この２つのバッテリモジュールをバッテリモジュール２１、２２と呼ぶ。）間は、バスバー３０（以下、このバスバーをバスバー４１と呼ぶ。）を有するバスバーユニット４０を介して電気的に導通している。各バッテリモジュール２０は、複数のセルを積層して構成されるセル積層体２０１と、積層方向においてセル積層体２０１の両側に配置される一対のエンドプレート２０２と、を備えている。
【００１２】
ケース１０は、バッテリモジュール２０、バスバー３０、及びバスバーユニット４０を収容するケース本体１１と、ケース本体１１を覆うケースカバー１２と、を有する。
【００１３】
ケースカバー１２は、上面に略円形状の開口部１２ａを有している。開口部１２ａは、図１に示すように、メンテナンスリッド１３で塞がれている。バッテリパック１のメンテナンス時には、図２に示すように、メンテナンスリッド１３を取り外すことにより、開口部１２ａからバッテリモジュール２１、２２とバスバーユニット４０とを電気的に接続する電気接続部５１にアクセス可能となる。
【００１４】
図３に示すように、ケースカバー１２は、バッテリモジュール２１、２２と連結するカバー連結部１２ｄを有する。カバー連結部１２ｄは、開口部１２ａの縁１２ｂの一部から開口領域１２ｃに向かって延出するように形成されている。カバー連結部１２ｄの延出端部１２１ａは、カバー固定ボルト６１及びナット６２により構成される固定部６０によりブラケット６３の中間部に締着されている。ブラケット６３は、バッテリモジュール２１、２２の隣接するエンドプレート２０２にかけ渡して固定されている。すなわち、この例では、カバー連結部１２ｄは、ブラケット６３を介して間接的にバッテリモジュール２１、２２に固定されている。
【００１５】
電気接続部５１では、バッテリモジュール２１、２２の端子部５３とバスバーユニット４０のバスバー４１とがバスバー固定ボルト４４で締結され、それぞれ開閉可能な端子カバー５４で覆われている。
【００１６】
（バスバーユニット）
図３及び図４に示すように、バスバーユニット４０は、バッテリモジュール２１、２２を電気的に接続するバスバー４１と、バスバー４１と取外し不能に設けられた絶縁性のバスバーカバー４２と、バスバー４１の先端上部に配置される一対の板材４３、４３と、電気接続部５１にてバスバー４１及び板材４３をバッテリモジュール２１、２２に固定するバスバー固定ボルト４４、４４と、を備えている。バスバーカバー４２は、バスバー４１と取外し不能に構成されている。また、バスバー固定ボルト４４及び板材４３は互いに連結されている。言い換えると、バスバー固定ボルト４４は、板材４３に対し回転可能、且つ、離脱不能に連結されている。
【００１７】
バスバー固定ボルト４４は、バッテリモジュール２１、２２の対向するエンドプレート２０２にそれぞれ配置された端子部５３に締結され、バスバー４１とバッテリモジュール２１、２２とを電気的に接続する。このようにバッテリモジュール２１、２２の対向するエンドプレート２０２にそれぞれ配置された端子部５３をバスバー４１で連結することにより、バスバーユニット４０（バスバー４１）の長さを短くできる。
【００１８】
また、カバー連結部１２ｄが、バッテリモジュール２１、２２の隣接するエンドプレート２０２にかけ渡して固定されたブラケット６３の中間部に固定されていることで、バスバー固定ボルト４４及びカバー連結部１２ｄを１箇所に集約することができ、固定部６０にアクセスするための開口部１２ａの面積を小さくできる。なお、バスバー４１は、隣接するエンドプレート２０２間に位置するＵ字形状のＵ字部４１ｕを有し、上下の振動をＵ字部４１ｕのたわみによって吸収することができる。
【００１９】
バッテリモジュール２１、２２の電気的な導通を解除するには、バスバー固定ボルト４４を取り外し、電気接続部５１における端子部５３とバスバーユニット４０のバスバー４１との連結（接触）を解除すればよい。
【００２０】
また、バスバー４１と取外し不能に設けられたバスバーカバー４２は、ケースカバー１２のカバー連結部１２ｄがバッテリモジュール２１、２２から取り外されるのを遮る遮蔽部４２ａを有する。具体的には、遮蔽部４２ａは、カバー固定ボルト６１及びナット６２を上方から覆っており、バスバーカバー４２を取り外さない限り、カバー固定ボルト６１及びナット６２によるカバー連結部１２ｄとブラケット６３との固定を解除できないように構成されている。
【００２１】
このように、バスバーユニット４０は、カバー連結部１２ｄが収容物であるバッテリモジュール２１、２２から取り外されることを遮る遮蔽部４２ａを有するので、バスバーユニット４０が取り外されない状態、即ち、バッテリモジュール２１、２２が電気的に導通した状態で、ケースカバー１２が取り外されることが規制される。したがって、サービスプラグのような既製品を用いずに簡易な構成でバッテリパック１のインターロック構造を実現できる。また、遮蔽部４２ａがバスバーカバー４２に設けられているので、部品点数を削減できる。即ち、バスバーカバー４２はバスバー４１の絶縁性を確保する機能とともにインターロック機能の両方を兼ねている。
【００２２】
端子部５３は、バスバー固定ボルト４４の軸部４４ａが螺合するねじ穴５４１を有する導電性のナット部材で構成される。端子部５３は、ねじ穴５４１を上に向けてエンドプレート２０２に埋設されている。板材４３の上面及びバスバー固定ボルト４４のヘッド４４ｂは、絶縁性を有し、開口部１２ａから順に、バスバー固定ボルト４４のヘッド４４ｂ、板材４３、バスバー４１、及びバッテリモジュール２０（端子部５３）の順に配置されている。このように、バスバー固定ボルト４４のヘッド４４ｂ及び板材４３が絶縁性を有するので、開口部１２ａに近い部分の絶縁性が確保される。
【００２３】
図４に示すように、バスバーカバー４２は、バスバー固定ボルト４４を緩めた状態において板材４３の移動を規制する移動規制部４２ｂを有する。バスバー固定ボルト４４の軸部４４ａの長さは、バスバー固定ボルト４４を緩めた状態における板材４３と移動規制部４２ｂとの最大距離よりも長い。このため、バスバー固定ボルト４４を緩めても、バスバー固定ボルト４４はバスバーユニット４０から離脱することなく、バスバーユニット４０と一体に扱うことができる。
【００２４】
（作用）
つぎに、図５〜図７を参照して、ケースカバー１２の取り外し手順について説明する。
【００２５】
まず、図６の（Ａ）に示すように、開口部１２ａがメンテナンスリッド１３で塞がれている状態のケースカバー１２から、図５の（Ａ）及び図６の（Ｂ）に示すように、メンテナンスリッド１３を取り外す。
【００２６】
つぎに、図６の（Ｃ）に示すように、端子カバー５４を開ける。この時点で、電気接続部５１へのアクセスが可能となる。すなわち、バスバー４１及び板材４３をバッテリモジュール２１、２２の端子部５３に固定しているバスバー固定ボルト４４を、バッテリモジュール２１、２２の端子部５３から取り外す操作を行うことが可能となる。なお、端子カバー５４は必ずしも必要ではない。
【００２７】
バスバー固定ボルト４４をバッテリモジュール２１、２２の端子部５３から取り外す操作は、図７の（Ａ）に示すように、端子部５３に締め込まれているバスバー固定ボルト４４に対し、図７の（Ｂ）に示すように、絶縁工具７０を使用して行われる。具体的には、作業者は、バスバー固定ボルト４４のヘッド４４ｂに絶縁工具７０を嵌合させ、バスバー固定ボルト４４を緩む向きに回転させる。バスバー固定ボルト４４は、回転に伴って上方に移動し、バスバー固定ボルト４４と共に板材４３も上方に移動する。そして、バスバー固定ボルト４４の軸部４４ａが端子部５３のねじ穴５４１から抜ける前に、図７の（Ｃ）に示すように、板材４３がバスバーカバー４２の移動規制部４２ｂに当接する。そして、バスバー固定ボルト４４を緩む向きにさらに回転させていくと、バスバー固定ボルト４４の軸部４４ａが端子部５３のねじ穴５４１から抜けた時点で、バスバーユニット４０とバッテリモジュール２１、２２との連結が解除される。
【００２８】
上記のようにして、バスバーユニット４０とバッテリモジュール２１、２２との連結を解除した後、図５の（Ｂ）及び図６の（Ｄ）に示すように、バスバーユニット４０をバッテリモジュール２１、２２から取り外す。このとき、バスバーカバー４２及びバスバー固定ボルト４４と共にバスバー４１及び板材４３がバッテリモジュール２１、２２から取り外される。
【００２９】
この時点で、バッテリモジュール２１、２２間の電気的接続状態が解除されるとともに、カバー固定ボルト６１、ナット６２、及びブラケット６３により構成される固定部６０へのアクセスが可能な状態になる。作業者は、固定部６０にアクセスして、カバー連結部１２ｄとバッテリモジュール２１、２２との固定を解除する。この例では、図５の（Ｃ）及び図６の（Ｅ）に示すように、カバー固定ボルト６１からナット６２を取り外すことにより、カバー連結部１２ｄとブラケット６３との固定が解除され、ケースカバー１２をケース本体１１から取り外すことが可能な状態になる。
【００３０】
そして、図５の（Ｄ）に示すように、ケースカバー１２をケース本体１１から取り外すことにより、バスバーユニット４０内のメンテナンス作業を行うことが可能になる。
【００３１】
上記のように、本実施形態によれば、バスバーユニット４０をバッテリモジュール２１、２２から取り外して、バッテリモジュール２１、２２間の電気的接続状態を解除した後でなければ、ケースカバー１２をケース本体１１から取り外すことができないので、ケースカバー１２をケース本体１１から取り外すことにより、バスバーユニット４０内のメンテナンス作業を安全に行うことができる。
【００３２】
［その他の実施形態］
以下の説明では、第１実施形態と同一又は機能的に共通する構成要素については、同じ符号を付しその説明を適宜省略する。
【００３３】
図８に示すように、第２実施形態のバスバーユニット４０のバスバーカバー４２には、開口部１２ａから把持可能な把持部４５が設けられている。このように、バスバーカバー４２には開口部１２ａから把持可能な把持部４５が設けられているので、メンテナンス性が向上する。
【００３４】
図９及び図１０に示す第３実施形態のバスバーユニット４０は、バッテリモジュール２１、２２に接続されたバスバー４６、４６を電気的に接続するバスバー４１と、バスバー４1と取外し不能に設けられた絶縁性のバスバーカバー４２と、バスバー４１の上部を覆う絶縁性の板材４３と、電気接続部５１にてバスバー４１及び板材４３をバスバー４６、４６に固定するバスバー固定ボルト４４、４４と、を備えている。そして、不図示のケースカバー１２のカバー連結部１２ｄが、端子台８０に設けられた固定部６０に固定される。バスバーカバー４２は、固定部６０を覆う遮蔽部４２ａを有する。遮蔽部４２ａは、ケースカバー１２のカバー連結部１２ｄが端子台８０の固定部６０から取り外されるのを遮るように構成される。また、第３実施形態のバスバーカバー４２にも把持部４５が設けられている。
【００３５】
この構成によれば、バスバー固定ボルト４４を緩めてバスバーユニット４０を端子台８０から取り外して、バッテリモジュール２１、２２間の電気的接続状態を解除した後でなければ、ケースカバー１２をケース本体１１から取り外すことができない。なお、端子台８０には、把持部４５を覆う端子台カバーが設けられていてもよい。
【００３６】
なお、前述した実施形態は、適宜、変形、改良、等が可能である。例えば、上記実施形態では、バスバーユニット４０が、カバー連結部１２ｄが収容物であるバッテリモジュール２１、２２又は端子台８０から取り外されることを遮る遮蔽部４２ａを有することで、バッテリモジュール２１、２２が電気的に導通した状態で、ケースカバー１２が取り外されることが規制されている。しかし、バスバーユニット４０は、カバー連結部１２ｄがケース本体１１から取り外されることを遮る遮蔽部４２ａを有していてもよい。これによっても、バッテリモジュール２１、２２が電気的に導通した状態で、ケースカバー１２が取り外されることが規制される。
【００３７】
本明細書には少なくとも以下の事項が記載されている。なお、括弧内には、上記した実施形態において対応する構成要素等を示しているが、これに限定されるものではない。
【００３８】
（１）  バッテリパック（バッテリパック１）のインターロック構造であって、
前記バッテリパックは、
複数のバッテリモジュール（バッテリモジュール２０）と、
該複数のバッテリモジュールを収容するケース本体（ケース本体１１）、及び該ケース本体を覆うケースカバー（ケースカバー１２）と、を有するケース（ケース１０）と、
前記複数のバッテリモジュールのうち２つのバッテリモジュール（バッテリモジュール２１、２２）を電気的に導通させるバスバーユニット（バスバーユニット４０）と、を備え、
前記ケースカバーは、前記ケースに収容された収容物（バッテリモジュール２１、２２）又は前記ケース本体と連結するカバー連結部（カバー連結部１２ｄ）を有し、
前記バスバーユニットは、前記カバー連結部が前記収容物又は前記ケース本体から取り外されるのを遮る遮蔽部（遮蔽部４２ａ）を有する、バッテリパックのインターロック構造。
【００３９】
（１）によれば、バスバーユニットは、カバー連結部が収容物又はケース本体から取り外されることを遮る遮蔽部を有するので、バスバーユニットが取り外されない状態、即ち、バッテリモジュールが電気的に導通した状態で、ケースカバーが取り外されるのが規制される。したがって、サービスプラグのような既製品を用いずに簡易な構成でバッテリパックのインターロック構造を実現できる。
【００４０】
（２）  （１）に記載のバッテリパックのインターロック構造であって、
前記ケースカバーは、開口部（開口部１２ａ）を有し、
前記バッテリモジュールと前記バスバーユニットとの接続部（電気接続部５１）は、前記開口部からアクセス可能に構成されている、バッテリパックのインターロック構造。
【００４１】
（２）によれば、バッテリモジュールとバスバーユニットとの接続部が、ケースカバーの開口部からアクセス可能に構成されているので、ケースカバーに開口部を設けるだけで、インターロック機構へのアクセスを可能にできる。
【００４２】
（３）  （２）に記載のバッテリパックのインターロック構造であって、
前記カバー連結部は、前記開口部の開口領域（開口領域１２ｃ）に向かって延出するように形成され、
前記カバー連結部と前記収容物又は前記ケース本体とを直接的又は間接的に固定する固定部（固定部６０）が、前記開口部からアクセス可能に構成されている、バッテリパックのインターロック構造。
【００４３】
（３）によれば、カバー連結部と収容物又はケース本体とを直接的又は間接的に固定する固定部が、開口部の開口領域に向かって延出するのでメンテナンス性が向上する。
【００４４】
（４）  （２）又は（３）に記載のバッテリパックのインターロック構造であって、
前記バッテリモジュールは、
複数のセルを積層して構成されるセル積層体（セル積層体２０１）と、
積層方向において前記セル積層体の両側に配置される一対のエンドプレート（エンドプレート２０２）と、を備え、
前記バスバーユニットは、前記２つのバッテリモジュールの対向する前記エンドプレートにそれぞれ配置された端子部（端子部５３）に締結されている、バッテリパックのインターロック構造。
【００４５】
（４）によれば、バスバーユニットは、２つのバッテリモジュールの対向するエンドプレートにそれぞれ配置された端子部に締結されているので、バスバーユニットの長さを短くできる。
【００４６】
（５）  （４）に記載のバッテリパックのインターロック構造であって、
前記カバー連結部は、前記２つのバッテリモジュールの対向する前記エンドプレートに直接的又は間接的に固定されている、バッテリパックのインターロック構造。
【００４７】
（５）によれば、カバー連結部が、バスバーユニットが締結されるエンドプレートに直接的又は間接的に固定されるので、開口部の面積を小さくできる。
【００４８】
（６）  （２）〜（５）のいずれかに記載のバッテリパックのインターロック構造であって、
前記バスバーユニットは、
前記２つのバッテリモジュールを電気的に接続するバスバー（バスバー４１）と、
前記バスバーと取外し不能に設けられた絶縁性のバスバーカバー（バスバーカバー４２）と、
前記バスバーの上部に配置される板材（板材４３）と、
前記電気接続部にて前記バスバー及び前記板材を前記バッテリモジュールに固定するボルト（バスバー固定ボルト４４）と、を備え、
前記板材の上面及び前記ボルトのヘッド（ヘッド４４ｂ）は、絶縁性を有し、
前記開口部から順に、前記ボルトのヘッド、前記板材、前記バスバー、及び前記バッテリモジュールの順に配置されている、バッテリパックのインターロック構造。
【００４９】
（６）によれば、ボルトのヘッド及び板材が絶縁性を有するので、開口部に近い部分の絶縁性を確保できる。
【００５０】
（７）  （６）に記載のバッテリパックのインターロック構造であって、
前記ボルト及び前記板材は連結されており、
前記バスバーカバーは、前記ボルトを緩めた状態において前記板材の移動を規制する移動規制部（移動規制部４２ｂ）を有し、
前記ボルトの軸部（軸部４４ａ）の長さは、前記ボルトを緩めた状態における前記板材と前記移動規制部との最大距離よりも長い、バッテリパックのインターロック構造。
【００５１】
（７）によれば、バスバーカバーは、ボルトを緩めた状態において板材の移動を規制する移動規制部を有し、ボルトの軸部の長さは、ボルトを緩めた状態における板材と移動規制部との最大距離よりも長いので、ボルトを緩めてもバスバーユニットを一体に扱うことができる。
【００５２】
（８）  （６）又は（７）に記載のバッテリパックのインターロック構造であって、
前記遮蔽部は、前記バスバーカバーに設けられている、バッテリパックのインターロック構造。
【００５３】
（８）によれば、遮蔽部はバスバーを覆うバスバーカバーに設けられているので、バスバーカバーはバスバーの絶縁性を確保する機能とともにインターロック機能の両方を兼ねる。
【００５４】
（９）  （６）〜（８）のいずれかに記載のバッテリパックのインターロック構造であって、
前記バスバーカバーには、前記開口部から把持可能な把持部（把持部４５）が設けられている、バッテリパックのインターロック構造。
【００５５】
（９）によれば、バスバーカバーには開口部から把持可能な把持部が設けられているので、メンテナンス性が向上する。
【００５６】
（１０）  （２）〜（８）のいずれかに記載のバッテリパックのインターロック構造であって、
前記カバー連結部は、前記収容物に固定されたブラケット（ブラケット６３）又は端子台（端子台８０）に固定されている、バッテリパックのインターロック構造。
【００５７】
（１０）によれば、カバー連結部は、収容物に固定されたブラケット又は端子台に固定されているので、カバー連結部の固定部を開口部の近傍に配置することができ、メンテナンス性が向上する。
【符号の説明】
【００５８】
１  バッテリパック
１０  ケース
１１  ケース本体
１２  ケースカバー
１２ａ  開口部
１２ｃ  開口領域
１２ｄ  カバー連結部
２０  バッテリモジュール（収容物）
２０１  セル積層体
２０２  エンドプレート
２１  バッテリモジュール（収容物）
２２  バッテリモジュール（収容物）
３０  バスバー
４０  バスバーユニット
４１  バスバー
４２  バスバーカバー
４２ａ  遮蔽部
４２ｂ  移動規制部
４３  板材
４４  バスバー固定ボルト（ボルト）
４４ａ  軸部
４４ｂ  ヘッド
４５  把持部
５１  電気接続部（接続部）
５３  端子部
６０  固定部
６３  ブラケット
８０  端子台
【図１】
2020098697.tif 000003
【図２】
2020098697.tif 000004
【図３】
2020098697.tif 000005
【図４】
2020098697.tif 000006
【図５】
2020098697.tif 000007
【図６】
2020098697.tif 000008
【図７】
2020098697.tif 000009
【図８】
2020098697.tif 000010
【図９】
2020098697.tif 000011
【図１０】
2020098697.tif 000012